(57)【要約】【課題】写真プリントや印刷物などのハードコピーにおいて、光沢性や物質の質感、立体感などを好適に表現できると共に、適正濃度の画像を観察することを可能にする、ハードコピーの作成方法、装置及びハードコピーを提供する。【解決手段】ハードコピーの作成において、画像信号に応じて画像を被記録媒体に記録するとともに、画像の記録された被記録媒体の画像領域の表面粗さの制御を行う。その際、表面粗さの制御を行う前の画像濃度と、表面粗さの制御を行った後における観察画像濃度との濃度差に関する参照テーブルを用いて、表面粗さの制御を行った後における観察画像濃度が記録しようとする画像の画像濃度となるように、記録しようとする画像の画像信号あるいは表面粗さの制御を行う信号を補正する。【選択図】図１
2005059592.tif 000002
【特許請求の範囲】
【請求項１】
記録しようとする画像の画像濃度を表す画像信号に応じて被記録媒体に画像を記録してハードコピーを作成するハードコピー作成方法であって、
画像信号に応じて画像を被記録媒体に記録するステップと、
画像の記録された被記録媒体の画像領域の表面粗さの制御を行うステップと、
前記被記録媒体に画像を記録する際に用いる画像信号に対して成される処理であって、前記表面粗さの制御を行う前の画像濃度と、前記表面粗さの制御を行った後における観察画像濃度との濃度差に関する情報を用いて、前記表面粗さの制御を行った後における観察画像濃度が前記記録しようとする画像の画像濃度となるように、前記画像信号を補正するステップと、を有することを特徴とするハードコピー作成方法。
【請求項２】
前記画像信号を補正する際、前記記録しようとする画像における画像濃度をＤｉ；  前記表面粗さの程度を示す指標をＳ；  表面粗さ制御後の観察画像濃度をDensity(Ｄｉ，Ｓ)；  ［Density(Ｄｉ，Ｓ)−Ｄｉ］をＤｓ（Ｄｉ，Ｓ）；  としたとき、
［Ｄｉ＝Ｄｘ＋Ｄｓ（Ｄｘ，Ｓ）］を満たす画像濃度Ｄｘを求め、この画像濃度Ｄｘで被記録媒体に記録するように前記画像信号を補正する請求項１に記載のハードコピー作成方法。
【請求項３】
さらに、前記表面の粗さ制御に応じた補正後の画像信号が、前記画像記録で記録可能な濃度範囲に応じて定まる所定濃度範囲内の画像濃度を表すように、前記表面粗さの制御を調整するステップを有する請求項１又は２に記載のハードコピー作成方法。
【請求項４】
前記記録しようとする画像における画像濃度をＤｉ；  前記ハードコピーの表面粗さの程度を示す指標をＳ；  表面粗さ制御後の観察画像濃度をDensity(Ｄｉ，Ｓ)；  ［Density(Ｄｉ，Ｓ)−Ｄｉ］をＤｓ（Ｄｉ，Ｓ）；  前記画像記録で記録可能な最大濃度をＤmax;  とした際に、
［Ｄｉ≦Ｄmax ＋Ｄｓ（Ｄmax ，Ｓ）］を満たすように前記表面粗さの制御を調整する請求項１〜３のいずれか１項
に記載のハードコピー作成方法。
【請求項５】
前記画像記録で記録可能な最小濃度をＤmin;  とした際に、さらに、
［Ｄmin ＋Ｄｓ（Ｄmin ，Ｓ）≦Ｄｉ］を満たすように前記表面粗さ制御を調整する請求項４に記載のハードコピー作成方法。
【請求項６】
前記表面粗さの制御を行うステップでは、前記被記録媒体の画像領域に立体的なドットによる凹凸層を形成することにより表面粗さの制御を行う請求項１〜５のいずれか１項
に記載のハードコピー作成方法。
【請求項７】
記録しようとする画像の画像濃度を表す画像信号に応じて被記録媒体に画像を記録してハードコピーを作成するハードコピー作成方法であって、
画像信号に応じて画像を被記録媒体に記録するステップと、
画像の記録された被記録媒体の画像領域の表面粗さの制御を行うステップと、
前記画像領域の表面粗さの制御を行う粗さ層形成信号に対して成される処理であって、  前記表面粗さの制御を行う前の画像濃度と、前記表面粗さの制御を行った後における観察画像濃度との濃度差に関する情報を用いて、この濃度差に応じて、前記粗さ層形成信号を調整するステップと、を有することを特徴とするハードコピー作成方法。
【請求項８】
前記画像信号を補正する際、前記記録しようとする画像における画像濃度をＤｉ；  前記表面粗さの程度を示す指標をＳ；  表面粗さの制御後の観察画像濃度をDensity(Ｄｉ，Ｓ)；  ［Density(Ｄｉ，Ｓ)−Ｄｉ］をＤｓ（Ｄｉ，Ｓ）；  としたとき、Ｄｓ（Ｄｉ，Ｓ）が予め設定された設定範囲を超えた場合、Ｄｓ（Ｄｉ，Ｓ）が前記設定範囲内になるように前記粗さ層形成信号を調整する請求項７に記載のハードコピー作成方法。
【請求項９】
前記表面粗さの制御を行うステップでは、前記被記録媒体の画像領域に立体的なドットによる凹凸層を形成することにより表面粗さの制御を行う請求項７又は８に記載のハードコピー作成方法。
【請求項１０】
記録しようとする画像の画像濃度を表す画像信号に応じて被記録媒体に画像を記録してハードコピーを作成するハードコピー作成装置であって、
画像信号に応じた画像記録を被記録媒体に対して行う画像記録手段と、
前記画像記録手段による記録画像に応じて被記録媒体の画像領域の表面粗さの制御を行う粗さ制御手段と、
予め知見した前記表面粗さの制御を行う前の画像濃度と前記表面粗さの制御を行った後における観察画像濃度との濃度差に応じて、前記表面粗さの制御を行った後における観察画像濃度が前記記録しようとする画像における画像濃度となるように、画像記録前の前記画像信号を補正する補正手段と、を有することを特徴とするハードコピー作成装置。
【請求項１１】
前記粗さ制御手段は、前記被記録媒体の画像領域に立体的なドットによる凹凸層を形成することにより表面粗さの制御を行う請求項１０に記載のハードコピー作成装置。
【請求項１２】
記録しようとする画像の画像濃度を表す画像信号に応じて被記録媒体に可視像が画像記録されたハードコピーであって、
画像記録領域は前記可視像に応じて制御された表面粗さを有し、
かつ、前記可視像は、前記表面粗さの制御を行う前の画像濃度と前記表面粗さの制御を行った後における観察画像濃度との濃度差に応じて、表面粗さの制御を行った後における観察画像濃度が前記記録しようとする画像における画像濃度となるように、補正された画像信号で記録された画像であることを特徴とするハードコピー。
【発明の詳細な説明】
【技術分野】
【０００１】
本発明は、写真プリントや印刷物等のハードコピーの技術分野に属し、詳しくは、画像の質感や立体感等を好適に表現した高品位なハードコピーを作成することができるハードコピー作成方法、作成装置およびハードコピーに関する。
【背景技術】
【０００２】
写真プリントや各種のプリンタで出力したプリント等の質感を向上して、付加価値の高い製品を作成するために、各種の提案が行われている。
例えば、特許文献１には、昇華染料が塗布された転写紙を用いるサーマルプリンタ装置において、転写紙に昇華染料とは異なる材料で形成した領域を設け、この領域を介して画像を再加熱することにより、所望の光沢もしくは艶消しを有する記録画像を作成できるサーマルプリンタ装置が開示されている。
【０００３】
さらに、特許文献２には、熱転写印刷装置によるプリント作成において、反射光の状態が大および小の２つの状態となるように被写体を撮像し、反射光が大の状態から小の状態を減算してなる光沢信号を生成すると共に、前記被写体を同じ撮像手段で画像信号化して再生したプリントを作成し、さらに、光沢信号に応じてプリントを再加熱することにより、印刷画像の光沢性に準じて自由に光沢を表現する方法が開示されている。
【０００４】
【特許文献１】特開平３−１９０７７８号公報
【特許文献２】特開平８−３９８４１号公報
【発明の開示】
【発明が解決しようとする課題】
【０００５】
両者は、共にプリントの表面を処理することにより、画像に応じた光沢性や非光沢性を付与し、より高品位なプリントを作成するものである。ところが、プリントの表面性状が変化すると、光の反射特性が変化し、それに応じて、観察される画像の濃度、すなわち見かけ上の画像濃度が変化してしまう。
そのため、観察される画像の色／濃度が本来の画像とは異なってしまうために、画質の低下や画像が不自然になってしまうなどの悪影響が出てしまい、画像の質感は向上するものの、逆に、画質的には劣化してしまう可能性もある。
【０００６】
本発明の目的は、前記従来技術の問題点を解決することにあり、写真プリントや印刷物などのハードコピーにおいて、光沢性や非光沢性、布や紙などの画像中に存在する物質の質感、物体の立体感や画像の奥行き感などを好適に表現できると共に、観察される画像の濃度も適正にできる、高品位なハードコピーの作成方法および作成装置、ならびにこれによるハードコピーを提供することにある。
【課題を解決するための手段】
【０００７】
上記目的を達成するために、  記録しようとする画像の画像濃度を表す画像信号に応じて被記録媒体に画像を記録してハードコピーを作成するハードコピー作成方法であって、
画像信号に応じて画像を被記録媒体に記録するステップと、画像の記録された被記録媒体の画像領域の表面粗さの制御を行うステップと、前記被記録媒体に画像を記録する際に用いる画像信号に対して成される処理であって、前記表面粗さの制御を行う前の画像濃度と、前記表面粗さの制御を行った後における観察画像濃度との濃度差に関する情報を用いて、前記表面粗さの制御を行った後における観察画像濃度が前記記録しようとする画像の画像濃度となるように、前記画像信号を補正するステップと、を有することを特徴とするハードコピー作成方法を提供する。
【０００８】
前記ハードコピー作成方法では、前記画像信号を補正する際、前記記録しようとする画像における画像濃度をＤｉ；  前記表面粗さの程度を示す指標をＳ；  表面粗さ制御後の観察画像濃度をDensity(Ｄｉ，Ｓ)；  ［Density(Ｄｉ，Ｓ)−Ｄｉ］をＤｓ（Ｄｉ，Ｓ）；  としたとき、［Ｄｉ＝Ｄｘ＋Ｄｓ（Ｄｘ，Ｓ）］を満たす画像濃度Ｄｘを求め、この画像濃度Ｄｘで被記録媒体に記録するように前記画像信号を補正することが好ましい。
さらに、前記ハードコピー作成方法は、前記表面の粗さ制御に応じた補正後の画像信号が、前記画像記録で記録可能な濃度範囲に応じて定まる所定濃度範囲内の画像濃度を表すように、前記表面粗さの制御を調整するステップを有することが好ましい。
【０００９】
また、前記記録しようとする画像における画像濃度をＤｉ；  前記ハードコピーの表面粗さの程度を示す指標をＳ；  表面粗さ制御後の観察画像濃度をDensity(Ｄｉ，Ｓ)；  ［Density(Ｄｉ，Ｓ)−Ｄｉ］をＤｓ（Ｄｉ，Ｓ）；  前記画像記録で記録可能な最大濃度をＤmax;  とした際に、［Ｄｉ≦Ｄmax ＋Ｄｓ（Ｄmax ，Ｓ）］を満たすように前記表面粗さの制御を調整することが好ましい。さらに、前記画像記録で記録可能な最小濃度をＤmin;  とした際に、［Ｄmin ＋Ｄｓ（Ｄmin ，Ｓ）≦Ｄｉ］を満たすように前記表面粗さ制御を調整することが好ましい。
また、前記表面粗さの制御を行うステップでは、例えば、前記被記録媒体の画像領域に立体的なドットによる凹凸層を形成することにより表面粗さの制御を行う。
【００１０】
また、本発明では、記録しようとする画像の画像濃度を表す画像信号に応じて被記録媒体に画像を記録してハードコピーを作成するハードコピー作成方法であって、画像信号に応じて画像を被記録媒体に記録するステップと、画像の記録された被記録媒体の画像領域の表面粗さの制御を行うステップと、前記画像領域の表面粗さの制御を行う粗さ層形成信号に対して成される処理であって、前記表面粗さの制御を行う前の画像濃度と、前記表面粗さの制御を行った後における観察画像濃度との濃度差に関する情報を用いて、この濃度差に応じて、前記粗さ層形成信号を調整するステップと、を有することを特徴とするハードコピー作成方法を提供する。
【００１１】
前記ハードコピー作成方法では、前記画像信号を補正する際、前記記録しようとする画像における画像濃度をＤｉ；  前記表面粗さの程度を示す指標をＳ；  表面粗さの制御後の観察画像濃度をDensity(Ｄｉ，Ｓ)；  ［Density(Ｄｉ，Ｓ)−Ｄｉ］をＤｓ（Ｄｉ，Ｓ）；  としたとき、Ｄｓ（Ｄｉ，Ｓ）が予め設定された設定範囲を超えた場合、Ｄｓ（Ｄｉ，Ｓ）が前記設定範囲内になるように前記粗さ層形成信号を調整することが好ましい。
前記表面粗さの制御を行うステップでは、例えば、前記被記録媒体の画像領域に立体的なドットによる凹凸層を形成することにより表面粗さの制御を行うことが好ましい。
【００１２】
さらに、本発明では、記録しようとする画像の画像濃度を表す画像信号に応じて被記録媒体に画像を記録してハードコピーを作成するハードコピー作成装置であって、画像信号に応じた画像記録を被記録媒体に対して行う画像記録手段と、前記画像記録手段による記録画像に応じて被記録媒体の画像領域の表面粗さの制御を行う粗さ制御手段と、予め知見した前記表面粗さの制御を行う前の画像濃度と前記表面粗さの制御を行った後における観察画像濃度との濃度差に応じて、前記表面粗さの制御を行った後における観察画像濃度が前記記録しようとする画像における画像濃度となるように、画像記録前の前記画像信号を補正する補正手段と、を有することを特徴とするハードコピー作成装置を提供する。
【００１３】
その際、前記粗さ制御手段は、前記被記録媒体の画像領域に立体的なドットによる凹凸層を形成することにより表面粗さの制御を行うことが好ましい。
【００１４】
さらに、本発明は、記録しようとする画像の画像濃度を表す画像信号に応じて被記録媒体に可視像が画像記録されたハードコピーであって、画像記録領域は前記可視像に応じて制御された表面粗さを有し、かつ、前記可視像は、前記表面粗さの制御を行う前の画像濃度と前記表面粗さの制御を行った後における観察画像濃度との濃度差に応じて、表面粗さの制御を行った後における観察画像濃度が前記記録しようとする画像における画像濃度となるように、補正された画像信号で記録された画像であることを特徴とするハードコピーを提供する。
【発明の効果】
【００１５】
本発明によれば、写真プリントや印刷物などのハードコピーにおいて、光沢性や非光沢性、布や紙などの画像中に存在する物質の質感、物体の立体感や画像の奥行き感などを好適に表現できると共に、観察される画像の濃度、特に高濃度部や低濃度部が適正に観察されるハードコピーを作成することができる。
【発明を実施するための最良の形態】
【００１６】
以下、本発明のハードコピー作成方法、ハードコピー作成装置、およびハードコピーについて、添付の図面に示される好適実施例を基に詳細に説明する。
【００１７】
図１に、本発明のハードコピー作成方法を実施して本発明のハードコピーを作成する、本発明のハードコピー作成装置にかかるプリンタの一例をブロック図で概念的に示す。
【００１８】
図１に示すプリンタ１０は、図２（Ａ）に模式的に示すように、被記録媒体に画像を記録してプリント５０とした後に、その表面に記録した画像に応じた凹凸を有する粗さ層５２を形成して、画像の質感や立体感を表現した本発明にかかるプリント（ハードコピー）Ｐを作成するものであって、基本的に、画像記録部１２と、粗さ層形成部１４と、粗さ−濃度補正部１６と、粗さ層形成信号補正部１８とを有して構成される。
なお、以下の説明では、通常のプリント５０と区別するために、粗さ層５２を形成したプリントを高品位プリントＰとする。
【００１９】
画像記録部１２は、被記録媒体に画像を記録して、プリント５０を作成する部位である。
本発明において、画像記録部１２には特に限定はなく、写真プリンタ、印刷装置、インクジェットプリンタ、電子写真プリンタ、各種の画像記録装置が全て利用可能である。すなわち、本発明において、粗さ層５２の形成対象となるプリント５０（ハードコピー）には限定はなく、写真プリントや印刷物等、各種のプリントが対象となり得る。
【００２０】
図示例のプリンタ１０において、記録しようとする画像の画像濃度を表す画像信号は後述する粗さ−濃度補正部１６に供給され、画像記録部１２は、この粗さ−濃度補正部１６で補正された画像信号（補正画像信号）に応じて画像記録を行って、プリント５０を作成する。
なお、画像信号は、後述する粗さ層形成信号補正部１８にも供給される。
【００２１】
粗さ層形成部１４は、画像記録部１２で記録したプリントの表面に、画像記録部１２が記録した画像に応じた表面粗さを有する粗さ層５２を形成して高品位プリントＰとするものである。
【００２２】
高品位プリントＰにおいて、粗さ層５２とは、プリント５０に記録された画像中に存在する物体の素材や、画像中に存在する物体の位置などに応じて、画像の領域毎に異なる表面粗さを有する、透明な層である。
【００２３】
例えば、画像中に存在する物体に応じて、金属製やガラス製などの光沢性の高い物体の領域は表面粗さを小さく（平滑面としても可）とし、逆に、木製や布製などの光沢性の低い物体の領域は表面粗さを大きくする。これにより、画像中に存在する物体の光沢性すなわち物体の質感を好適に表現することができる。
具体的には、図２（Ｂ）に示す木製の台５６上に、金属製の物体５８が載置されているような画像であれば、高品位プリントＰにおいては、画像の台５６に対応する領域の粗さ層５２は表面粗さを大きく、画像の物体５８に対応する領域の粗さ層５２は表面粗さを小さくする。
【００２４】
また、画像中に存在する物体の位置に応じて、光沢性の高い物体が手前に存在する場合には、その領域の表面粗さを小さくして、それ以外の領域の表面粗さを大きくする。逆に、光沢性の低い物体が手前に存在する場合には、その領域の表面粗さを大きくして、それ以外の領域の表面粗さを小さくする。このように手前に存在する物質ほど、その質感が強く出るように表面粗さ層の各領域の表面粗さを調整することにより、画像の立体感（奥行き感）を好適に表現できる。
さらに、手前から奥手に向かって、質感強調の度合いを、漸次、小さくすることにより、奥行き感を表現することも可能である。例えば、図２（Ｂ）の画像であれば、画像の台５６に対応する領域の粗さ層５２は、手前から奥手に向かって、漸次、表面粗さを小さくし、画像の物体５８に対応する領域の粗さ層５２は、逆に、手前から奥手に向かって、漸次、表面粗さを大きくすればよい。
【００２５】
粗さ層形成部１４において粗さ層５２の形成方法には特に限定はなく、例えば、各種の画像記録方法が利用可能である。
一例として、プリント５０に浸透しない透明インクを用いて、インクジェットによって、プリント５０の表面に目的とする表面粗さに応じた立体的なドットによる凹凸を形成し、この透明インクを硬化（例えば、インクがＵＶ硬化型であれは、ＵＶの照射）する方法が例示される。また、透明トナーを用いてプリント５０の表面に立体的なドットを形成し、加熱定着することにより、目的とする表面粗さに応じた凹凸を形成する方法も好適である。さらに、プリント５０の表面に透明なコーティング層を形成し、このコーティング層を加熱した針によって凹部を形成することにより、目的とする表面粗さに応じた凹凸を形成する方法も利用可能である。なお、凹部の形成方法は、例えば、ＩＢＭ社による情報記録技術である「ミリピード(Millipede) 」を応用すればよい。
【００２６】
このように形成されるドットや凹凸のサイズ（高さおよび径）や形成密度等を制御することにより、プリント５０の表面に、記録画像の各領域の絵柄等に応じた表面粗さを有する粗さ層５２を形成し、高品位プリントＰとする。
なお、本発明において、表面粗さ層の表面粗さは、例えば、算出平均表面粗さＲａ、最大高さＲｙ、十点平均粗さＲｚ等により制御すればよい。また、これ以外にも、表面粗さとなる凹凸の形成密度、同凹凸の形成周波数、同凹凸の形成パターン等によって、表面粗さ層の表面粗さを制御して、画像中に存在する物体の質感や画像の立体感を表現してもよい。
【００２７】
なお、粗さ層の形成に先立ち、画像記録部１２で記録されたプリントの表面に保護層や光沢層や艶消し層などを形成し、これらを形成されたプリントの表面に粗さ層を形成してもよい。
また、粗さ層はプリントの全面（画像記録面の全域）を覆って形成してもよく、あるいは、画像中の適宜選択された物体に対応する領域のみに形成する等、画像の少なくとも一部に対応して形成してもよい。さらに、粗さ層自身も、形成領域の全域を覆うものに限定はされず、部分的にプリント表面などの下面が露出するものであってもよく、また、独立した凸部を多数形成することによって、凹凸状としたものでもよい。
【００２８】
図示例のプリンタ１０においては、図１に示すように、粗さ層５２を形成するための粗さ層形成信号は、粗さ層形成信号補正部１８に供給されて、後述するように、必要に応じて部分的に補正される。粗さ層形成部１４は、此処から出力された補正粗さ層形成信号に応じて、プリント５０の表面に粗さ層５２を形成して、高品位プリントＰを作成する。なお、後述するが、粗さ層補正信号は、粗さ−濃度補正部１６にも供給される。
【００２９】
粗さ−濃度補正部１６は、粗さ層５２を形成することによる画像濃度の変化を補償するために、供給された画像信号を補正する部位である。
【００３０】
粗さ層５２を有さない通常のプリント５０であれば、基本的に、プリント５０に記録した画像の濃度と、観察者によって観察される画像の濃度（以下、観察濃度とする）とは一致している。また、画像記録が適正に行われていれば、画像濃度は、供給された画像信号に応じた適正な濃度となっている。
ところが、粗さ層５２を形成した高品位プリントＰでは、表面での光反射状態がプリント５０とは異なるので、画像を観察した際に、見かけ上、濃度が変動したようになってしまう。すなわち、高品位プリントＰでは、プリント５０に記録した画像濃度と観察濃度とが異なってしまい、質感は好適に表現できても、観察画像の色／濃度変動により、観察される画像が不適正となってしまう。
【００３１】
粗さ−濃度補正部１６は、このような不都合を無くすための部位であり、粗さ層形成信号と画像信号とから、粗さ層５２を形成した後の観察濃度が、プリンタ１０に供給された画像信号に対応する濃度（すなわち、粗さ層を形成しない場合に画像記録部１２が記録する画像濃度＝目的とする画像濃度）となるように、画像信号を補正して、補正画像信号として画像記録部１２に供給する。
さらに、粗さ−濃度補正部１６は、補正された画像信号によって画像記録部１２にて記録される画像濃度が記録可能な濃度であるか否かを判別し、記録可能な濃度でない場合、粗さ層形成信号補正部１８に補正された画像信号を供給する。
【００３２】
図３（Ａ）および図３（Ｂ）に、粗さ層５２を形成した際における濃度変化の一例を概念的に示す。
粗さ層５２形成前（表面粗さ制御前）の画像濃度をＤｉ、ＪＩＳ光沢や表面粗さＲａなどの粗さ層５２の表面粗さの程度を示す指標をＳとする。さらに、画像濃度Ｄｉの領域に指標Ｓの粗さ層５２を形成した後（表面粗さ制御後）の観察濃度をDensity(Ｄｉ，Ｓ）、この際における画像濃度Ｄｉと観察濃度Density(Ｄｉ，Ｓ）との濃度差すなわち［Density(Ｄｉ，Ｓ）−Ｄｉ］をＤｓ（Ｄｉ，Ｓ）とする。
【００３３】
高品位プリントＰにおいて、粗さ層５２を形成することによる、画像濃度Ｄｉと観察濃度Density(Ｄｉ，Ｓ）との濃度差Ｄｓ（Ｄｉ，Ｓ）は、粗さ層５２の状態（指標Ｓ）のみならず、画像濃度Ｄｉによっても変化する。
図３において、横軸は画像濃度Ｄｉで、縦軸は濃度差Ｄｓであるので、この例では、ある濃度Ｄｐを境にして、濃度Ｄｐより高濃度となるほど観察濃度Density(Ｄｉ，Ｓ）は画像濃度Ｄｉよりも低くなり、濃度Ｄｐより低濃度となるほど観察濃度Density(Ｄｉ，Ｓ）が画像濃度Ｄｉよりも高くなる。
【００３４】
ここで、画像濃度Ｄｉが濃度Ｄｐ以上である図３（Ａ）の例であっても、画像濃度Ｄｉが濃度Ｄｐ以下である図３（Ｂ）の例であっても、画像濃度Ｄｉすなわち画像信号に応じた目的濃度と一致する観察濃度Density(Ｄｉ，Ｓ）を得るためには、濃度差Ｄｓ（Ｄｉ，Ｓ）を含んでいる観察濃度Density(Ｄｉ，Ｓ）が、画像濃度Ｄｉとなる濃度で画像記録を行えばよい。すなわち、下記式
Ｄｉ＝Ｄｘ＋Ｄｓ（Ｄｘ，Ｓ）
を満たす濃度Ｄｘ、具体的には、粗さの指標Ｓに応じて、この指標Ｓの粗さ制御をした際における濃度差Ｄｓを加算した際に、観察濃度Density(Ｄｉ，Ｓ）が画像濃度Ｄｉとなる濃度Ｄｘを求めて、画像記録部１２において、この濃度Ｄｘとなるように画像記録を行えばよい。
【００３５】
粗さ−濃度補正部１６は、画像記録部１２における記録濃度が、前記式「Ｄｉ＝Ｄｘ＋Ｄｓ（Ｄｘ，Ｓ）」を満たす濃度Ｄｘとなるように、画像信号を補正する部位である。
図示例においては、一例として、画像信号に対応する画像濃度Ｄｉ、粗さ層形成信号に対応する指標Ｓ、各種の画像濃度Ｄｉと指標Ｓの組み合わせにおける観察濃度Density(Ｄｉ，Ｓ）および濃度差Ｄｓ（Ｄｉ，Ｓ）から、画像信号と粗さ層形成信号とをパラメータとして、式「Ｄｉ＝Ｄｘ＋Ｄｓ（Ｄｘ，Ｓ）」を満たす濃度Ｄｘを記録できる画像信号（補正画像信号）を求める濃度補正ルックアップテーブル（ＬＵＴ）を作成して、粗さ−濃度補正部１６に設定しておく。
粗さ−濃度補正部１６は、この濃度補正ＬＵＴを用いて、画像信号と粗さ層形成信号とから補正画像信号を求め、画像記録部１２に送る。
【００３６】
なお、粗さ−濃度補正部１６における画像信号（画像濃度）の補正は、記録濃度が完全に前記濃度Ｄｘと一致するように行うのに限定はされず、高品位プリントＰに要求される画質に応じて、ある程度の範囲をもって濃度補正を行うように、例えば前記濃度補正ＬＵＴを作成してもよい。
【００３７】
粗さ層形成信号補正部１８は、供給された粗さ層形成信号を、必要に応じて補正して、補正粗さ層形成信号として、粗さ層形成部１４に供給する。
【００３８】
前述のように、高品位プリントＰは、粗さ層５２を有するために画像記録部１２が記録した画像の画像濃度Ｄｉと、観察者による観察濃度Density(Ｄｉ，Ｓ）との間に濃度差Ｄｓ（Ｄｉ，Ｓ）を有する。
図示例のプリンタ１０においては、観察濃度を目的とする画像濃度と一致させるために、粗さ−濃度補正部１６において、供給された画像信号と粗さ層形成信号とから補正画像信号を求め、画像記録部１２は、この補正画像信号に応じて画像記録を行うのは、前述のとおりである。
【００３９】
ところが、画像信号と粗さ層形成信号との組み合わせ、すなわち、画像濃度Ｄｉと指標Ｓとの組み合わせによっては、図３（Ｃ）に示すように、観察濃度Density(Ｄｉ，Ｓ）と画像濃度Ｄｉとを一致させるためのとするための濃度Ｄｘが、画像記録部１２で記録可能な最低濃度Ｄmin もしくは同最高濃度Ｄmax を超えてしまう場合が生じる。言い換えれば、観察濃度を適正濃度にできる濃度Ｄｘが存在しない場合がある。
この際には、高品位プリントＰを観察した際に、低濃度部および高濃度部の画像が不適正に見えてしまい、画像の質感は好適に表現されても、画質的には劣化してしまう。
【００４０】
粗さ層形成信号補正部１８は、このような不都合が生じないように、好ましい態様として、画像信号と粗さ層形成信号とに応じて、粗さ層形成信号を補正する部位である。
具体的には、粗さ層形成信号補正部１８は、式［Ｄｉ≦Ｄmax ＋Ｄｓ（Ｄmax ，Ｓ）］、および、式［Ｄmin ＋Ｄｓ（Ｄmin ，Ｓ）≦Ｄｉ］を満たすように、供給された粗さ層形成信号を補正して、補正粗さ層形成信号とする。
上記式を満足させるように、すなわち、画像濃度Ｄｉが、最高濃度Ｄmaxの画像に指標Ｓの粗さ制御をした際における濃度差Ｄｓを、最高濃度Ｄmaxに加算した濃度以下となり、かつ、画像濃度Ｄｉが、最低濃度Ｄminの画像に指標Ｓの粗さ制御をした際における濃度差Ｄｓを、最低濃度Ｄmin に加算した濃度以上となるように、画像濃度Ｄｉと粗さの指標Ｓとに応じて、粗さ層５２の表面粗さの程度を制限する。
従って、粗さ層形成信号補正部１８においては、必ずしも、全ての粗さ層形成信号が補正されるわけではなく、上記２式を満たす画素については、粗さ層形成信号が、そのまま補正粗さ層形成信号として出力される。
【００４１】
図示例においては、一例として、画像信号に対応する画像濃度Ｄｉ、粗さ層形成信号に対応する指標Ｓ、最高濃度Ｄmax と各種の指標Ｓとの組み合わせにおける濃度差Ｄｓ（Ｄmax ，Ｓ）、最低濃度Ｄmin と各種の指標Ｓとの組み合わせにおける濃度差Ｄｓ（Ｄmin ，Ｓ）から、画像信号と粗さ層形成信号とをパラメータとして、上記両式を満たす粗さ層５２を形成できる補正粗さ層形成信号を求める粗さ層補正ＬＵＴを作成して、粗さ層形成信号補正部１８に設定しておく。
粗さ層形成信号補正部１８は、この粗さ層補正ＬＵＴを用いて、画像信号と粗さ層形成信号とから補正粗さ層形成信号を求め、粗さ層形成部１４に送る。
【００４２】
従って、本発明によれば、プリント５０の表面に画像に応じた表面粗さを有する粗さ層５２を形成することにより、画像の質感や立体感を表現した高品位プリントＰにおいて、粗さ層を形成することによる（見かけ上の）濃度変化を好適に補正すると共に、画像の最高濃度や最低濃度も好適に表現して、適正な画像を観察できる高品位プリントＰを安定して出力することができる。
【００４３】
図示例においては、粗さ層形成信号補正部１８は、最も好ましい態様として、Ｄmax およびＤmin にかかる前記両式を満足させるように、粗さ層形成信号を補正するが、本発明はこれに限定はされない。
例えば、画像の最高濃度が低くなると画質的に問題が大きいので、粗さ層形成信号補正部１８は、上記式のうち［Ｄｉ≦Ｄmax ＋Ｄｓ（Ｄmax ，Ｓ）］のみを満たすように、粗さ層形成信号を補正するものであってもよい。また、Ｄmax 側あるいはさらにＤmin 側共に、式は、上記式に限定はされず、要求される画質に応じて、これを満足する画質補償を行える程度に許容範囲を広げてもよく、例えば、上記式において、許容範囲を広げるようにＤｉに係数を乗じた式を用いて、粗さ層形成信号補正部１８における粗さ層形成信号の補正を行ってもよい。さらに、Ｄmax 側は上記式を用い、Ｄmin 側はＤｉに係数を乗じた式を用いる等の態様も利用可能である。
【００４４】
以下、プリンタ１０の作用について、簡単に説明する。
図１に示されるプリンタ１０において、記録しようとする画像の画像濃度を表す画像信号および粗さ層形成信号は、粗さ−濃度補正部１６および粗さ層形成信号補正部１８に供給される。
【００４５】
その際、図４（Ａ）に示すように、表面粗さの制御を行う前の画像濃度と、表面粗さの制御を行った後における観察画像濃度との濃度差に関する知見情報を用いて、表面粗さの制御を行った後における観察画像濃度が記録しようとする画像における画像濃度と一致するように補正画像濃度が定められ、補正画像信号が生成される。
より具体的には、図４（Ｂ）に示すように、粗さ−濃度補正部１６では、濃度補正ＬＵＴを用いて、画像信号および粗さ層形成信号から、前述の「Ｄｉ＝Ｄｘ＋Ｄｓ（Ｄｘ，Ｓ）」を満たす濃度Ｄｘに対応する補正画像信号が求められる。濃度補正ＬＵＴの代わりに、濃度差Ｄｓ（Ｄｉ，Ｓ）の関係式や関数を用いてもよい。
【００４６】
また、粗さ−濃度補正部１６では、図４（Ｃ）に示すように、補正画像信号が表す補正画像濃度が画像記録部１２にて記録可能な画像濃度であるか否かが判別され、記録可能な画像濃度でない場合、補正画像信号が粗さ層形成信号補正部１８に供給される。記録可能な画像濃度である場合、求められた補正画像信号及び供給された粗さ層形成信号が、補正画像信号１及び補正粗さ層形成信号１として、記録部１２及び粗さ層形成部１４に供給される。
【００４７】
他方、粗さ層形成信号補正部１８では、図４（Ｃ）に示すように、補正画像信号および粗さ層形成信号が、表面粗さの制御を行った後における観察画像濃度が記録しようとする画像における画像濃度と一致するように、さらに前述の［Ｄｉ≦Ｄmax ＋Ｄｓ（Ｄmax ，Ｓ）］および式［Ｄmin ＋Ｄｓ（Ｄmin ，Ｓ）≦Ｄｉ］を満たすように、粗さ補正ＬＵＴ等の濃度差の知見情報を用いて補正され、補正画像信号２及び補正粗さ層形成信号２として、画像記録部１２及び粗さ層形成部１４に供給される。
【００４８】
画像記録部１２は、供給された補正画像信号（補正画像信号１又は２）に応じた画像記録を行って、プリント５０を粗さ層形成部１４に出力する。
プリント５０を受け取った粗さ層形成部１４は、供給された補正粗さ層形成信号（補正粗さ層形成信号１又は２）に応じた粗さ層５２をプリント５０の表面に形成し、高品位プリントＰとして出力する。
【００４９】
図示例のように、画像を描画したプリントの表面に粗さ層５２を形成して高品位プリントＰを作成する方法、すなわち、ハードコピーの表面を荒らす方向に粗さ制御を行う方法では、粗さ層５２を形成した際の濃度変化は、多くの場合、図３に示す特性を有すると考えられるが、本発明は、これに限定はされず、各種の特性を有する表面粗さ制御を行う高品位プリントＰの作成に利用可能である。
例えば、図５（Ａ）に示すような、図３（Ａ）〜（Ｃ）と逆の粗さ制御によって低濃度領域で観察濃度が低下し、高濃度領域で観察濃度が上昇する特性を有する系であってもよく、図５（Ｂ）に示すような、粗さ制御によって全域にわたって観察濃度が低減し、特に高濃度となるにしたがって、その傾向が大きくなる特性を有する系であってもよく、さらに、図５（Ｃ）に示すような、粗さ制御によって全域にわたって観察濃度が上昇し、特に高濃度となるにしたがって、その傾向が大きくなる特性を有する系であってもよい。
何れの特性を有する系であっても、同様に画像信号および粗さ層形成信号を補正することにより、粗さ層５２の形成（粗さ制御）による観察濃度の変化に対応する画質劣化を防止して、適正な画像が観察できる高品位プリントＰを作成することができる。
【００５０】
また、本発明において、高品位プリントＰに再生する画像（画像記録部１２による記録画像）がカラー画像である場合には、高品位プリントＰの品質（画質および質感）という点では、前記画像信号の補正（画像濃度補正）および／または粗さ層形成信号の補正（粗さの程度の制限）は、各色の画像信号（画像信号に応じたＣ（シアン）、Ｍ（マゼンタ）、Ｙ（イエロー）の各濃度）の全てに対応して、上記各式を満足するように行うのが好ましい。
しかしながら、本発明は、これに限定はされない。
【００５１】
例えば、画像信号に対応するＣ、ＭおよびＹの平均濃度、ＮＴＳＣの重み付け係数を乗じて算出した値、Ｍ＞Ｃ＞Ｙの順で重み付けを行って合計もしくは平均した値等を用いて、上記各式を満足するように補正を行ってもよい。
あるいは、画像信号に対応するＣ、ＭおよびＹの１色もしくは２色の濃度に対して、上記各式を満足するように補正を行ってもよい。この際には、少なくとも、最も視覚的な影響が大きいＭに対しては、上記各式を満足するように補正を行うのが好ましく、次いで、次に影響の大きいＣに対して、上記式を満足するように補正を行うのが好ましい。
【００５２】
図示例のプリンタ１０においては、画像信号および粗さ層形成信号に応じた画像信号（画像濃度）の補正を行い、さらに、好ましい態様として、画像信号および粗さ層形成信号に応じた粗さ層形成信号の補正（粗さ層の制限）の両者を行っているが、図６（Ａ）に示すような補正を行うこともできる。
粗さ層形成信号補正部１８では、粗さ層形成信号に対して、画像信号が記録可能な濃度範囲内の画像濃度を表す信号となるように、表面粗さの制御を行う前の画像濃度と、表面粗さの制御を行った後における観察画像濃度との濃度差に関する知見情報を用いて補正し、この補正粗さ層形成信号を粗さ−濃度補正部１６に供給するとともに、粗さ−濃度補正部１６にて、補正粗さ層形成信号に基づいて、上記知見情報を用いて画像信号を補正するようにすることもできる。
【００５３】
より具体的には図７に示すように、記録可能な最大濃度Ｄmax に対して、Ｄｉ≦Ｄmax ＋Ｄｓ（Ｄmax ，Ｓ）となるように、濃度差Ｄｓ（Ｄｉ，Ｓ）の関係式を用いて粗さ層形成信号を補正し、この補正粗さ層形成信号（Ｓ’）に基づいて、上記濃度差Ｄｓ（Ｄｉ，Ｓ）の関係式を用いて画像信号を補正して、補正画像濃度信号（Ｄｘ）を生成してもよい。
また、図８に示すように、記録可能な最小濃度Ｄmin に対して、Ｄmin ＋Ｄｓ（Ｄmin ，Ｓ）≦Ｄｉとなるように、濃度差Ｄｓ（Ｄｉ，Ｓ）の関係式を用いて粗さ層形成信号を補正し、この補正粗さ層形成信号（Ｓ’）に基づいて、上記濃度差Ｄｓ（Ｄｉ，Ｓ）の関係式を用いて画像信号を補正して補正画像濃度信号（Ｄｘ）を生成してもよい。
さらに、図９に示すように、図７に示すステップＳ１００及び図８に示すステップＳ２００を結合して、補正画像濃度信号（Ｄｘ）及び補正粗さ層形成信号（Ｓ”）を生成してもよい。
【００５４】
本発明の別の態様では、画像信号の補正を行わずに、画像信号および粗さ層形成信号に応じた、粗さ層形成信号の補正のみを行ってもよい。
この態様においては、先の態様に比して画質や質感は低下するものの、粗さ制御による濃度差に起因する画質劣化を好適に抑制することができ、特に、画質に大きな影響を与える最高濃度および／または最低濃度を適正に表現して、ハイライトの抜けやシャドーの締まりの良好な画像を観察できる高品位プリントＰを作成することができる。
【００５５】
この際において、画像信号（画像濃度Ｄｉ）および粗さ層形成信号（粗さの程度を示す指標Ｓ）に応じた粗さ層形成信号の補正（粗さ層の制限）は、例えば、濃度差Ｄｓ（Ｄｉ，Ｓ）の閾値を設定しておき、この閾値を超えた際に、閾値に応じた所定範囲となるように、粗さ層形成信号を補正すればよい。また、この閾値は、濃度領域毎に設定してもよい。
あるいは、前記前記粗さ層信号補正部１８と同様に、粗さ層形成信号の補正を行うようにしてもよい。
【００５６】
以上、本発明のハードコピー作成方法、ハードコピー作成装置、およびハードコピーについて詳細に説明したが、本発明は、上記実施例に限定はされず、本発明の要旨を逸脱しない範囲において、各種の改良や変更を行ってもよいのは、もちろんである。
例えば、上記プリンタ１０は、画像記録部１２および粗さ層形成部１４の両者を有するものであったが、本発明はこれに限定はされず、画像記録および粗さ層の形成を別の装置で行ってもよい。
【００５７】
以上、詳細に説明したように、本発明によれば、写真プリントや印刷物などのハードコピーにおいて、光沢性や非光沢性、布や紙などの画像中に存在する物質の質感、物体の立体感や画像の奥行き感などを好適に表現できると共に、観察される画像の濃度、特に高濃度部や低濃度部が適正に観察されるハードコピーを作成することができる。
【図面の簡単な説明】
【００５８】
【図１】本発明のハードコピー作成装置の一例を概念的に示すブロック図である。
【図２】（Ａ）および（Ｂ）は、高品位プリントを説明するための概念図である。
【図３】（Ａ）、（Ｂ）および（Ｃ）は、本発明におけるハードコピー作成の一例を説明するための概念図である。
【図４】（Ａ）〜（Ｃ）は、本発明におけるハードコピー作成方法の一例の要部のフローチャートである。
【図５】（Ａ）、（Ｂ）および（Ｃ）は、本発明におけるハードコピー作成の別の例を説明するための概念図である。
【図６】本発明におけるハードコピー作成方法の一例の要部のフローチャートである。
【図７】本発明におけるハードコピー作成方法の他の例の要部のフローチャートである。
【図８】本発明におけるハードコピー作成方法の他の例の要部のフローチャートである。
【図９】本発明におけるハードコピー作成方法の他の例の要部のフローチャートである。
【符号の説明】
【００５９】
１０  プリンタ
１２  画像記録部
１４  粗さ層形成部
１６  粗さ−濃度補正部
１８  粗さ層形成信号補正部
５０  プリント
５２  粗さ層
５６  台
５８  物体
【図１】
2005059592.tif 000003
【図２】
2005059592.tif 000004
【図３】
2005059592.tif 000005
【図４】
2005059592.tif 000006
【図５】
2005059592.tif 000007
【図６】
2005059592.tif 000008
【図７】
2005059592.tif 000009
【図８】
2005059592.tif 000010
【図９】
2005059592.tif 000011